(57)【要約】【課題】広角な撮像光学系を搭載した扁平形状の撮像装置において、製品の幅方向の小型化と撮像レンズに伝わる力の緩和の両立を図った撮像装置を提供する。【解決手段】撮像部と２つの集音部を被写体に向ける形で有し、前記撮像部の画角開口部を円弧軌跡で開閉可能に装着されたレンズバリア羽根を備えたレンズバリアユニットを有する、厚み方向を最も短辺とする扁平な撮像装置において、前記２つの集音部は前記撮像部を挟む形で左右対称な位置に設けられ、かつ、前記２つの集音部の最前面部は、前記撮像部の最前面部よりも所定の量だけ被写体側に凸とし、前記２つの集音部の最前面部は、前記撮像部の画角の外側の位置であり、前記２つの集音部の内の少なくとも一つと、前記撮像部は、同一の保持部材によって保持し、前記保持部材の前記撮像部保を持部している部位の両脇に切り欠きを設ける。【選択図】図１８
2015102823.tif 000002
【特許請求の範囲】
【請求項１】
撮像部と２つの集音部を被写体に向ける形で有し、前記撮像部の開口部を円弧軌跡で開閉可能に装着されたレンズバリア羽根を備えたレンズバリアユニットを有する、前記撮像部を被写体に向けた状態での天地方向を最も短辺とする扁平な撮像装置において、前記２つの集音部は前記撮像部を挟む形で左右対称な位置に設けられ、かつ、前記２つの集音部の最前面部は、前記撮像部の最前面部よりも所定の量だけ被写体側に凸であり、前記２つの集音部は、前記撮像部の画角の外側の位置であるを特徴とする撮像装置。
【請求項２】
前記２つの集音部の内の少なくとも一つと、前記撮像部は、同一の保持部材によって保持されていることを特徴とする請求項１に記載の撮像装置。
【請求項３】
前記保持部材は、前記レンズバリアユニットの保持部を有しており、前記集音部の一つの保持部と、前記レンズバリアユニットの保持部は、前記撮像部を挟んだ反対側に設けられている事を特徴とする請求項１又は請求項２に記載の撮像装置。
【請求項４】
前記保持部材の前記保持部の両側には、切り欠き形状が設けられていることを特徴とする請求項１至請求項３の何れか１項に記載の撮像装置。
【発明の詳細な説明】
【技術分野】
【０００１】
本発明は、撮像装置におけるマイク部の配置構成に関するものである。
【背景技術】
【０００２】
近年、撮像装置は、その用途・性能に応じて、様々な撮影形態を有している。特に小型の撮像装置の分野においては、撮影画角が、対角画角において170°近傍に迫る、広角な撮像光学系を搭載し、厚み方向を薄くし左右と後方に広がる扁平した平板のような形態の撮像装置も登場している。
【０００３】
またここで、撮像装置は一般的に、映像と共に音声情報を記録するためにマイクを有している。この時、マイクは被写体側の音声を効率的に記録するために、撮像光学系レンズの前玉と同じ方向を向いて配置する事が好ましい。また、記録する音声情報にステレオ感を持たせるために、2つのマイクを距離を置いて配置することが好ましい。そのため、前述の扁平形状の撮像装置においては撮像光学系を横方向に挟む形で配置する事が最も効率が良い構成となる。
【０００４】
また、撮像装置の撮像光学系には、撮像光学系レンズを塵埃または手指による汚損から保護するためのレンズバリアを配することが好ましい。
【０００５】
なお、前記レンズバリアは撮像光学系レンズの前面移動し、撮像光学系レンズの前玉を覆い保護する閉状態と、撮像光学系の画角外に退避した開状態の2つのポジションを取ることが出来るものである。
【０００６】
また、撮像光学系の画角内に撮像装置自身が写り込まないようにするため、撮像光学系及びレンズバリアは可能な限り前側に寄せて配置する事が一般的であり、通常は撮像光学系は撮像装置の最前面部に配置されている。
【０００７】
またここで、撮像装置の小型化を図るため、レンズバリアを撮像光学系前玉に沿うような球面形状とし、円弧動作にて撮像光学系前玉に沿って開閉を行い、レンズバリアの動作軌跡と撮像装置外形に囲われた空間にマイクを配置する技術が提案されている（特許文献１）。
【０００８】
前述の扁平形状の撮像装置において前述の特許文献１に記載の技術を用いた場合、レンズバリアは撮像光学系の横側のマイクの後ろ側に退避することとなる。
【先行技術文献】
【特許文献】
【０００９】
【特許文献１】特開2010-156733号公報
【発明の概要】
【発明が解決しようとする課題】
【００１０】
しかしながら、前述の特許文献１に記載の技術を用いた扁平形状の撮像装置において、集音性能の向上を図るためマイクを大型化すると、撮像装置の幅方向が拡大してしまう。
【００１１】
ここで、図１９に広角な撮像光学系を搭載した扁平形状の撮像装置における把持形態を示す。図１９(a)は広角な撮像光学系を搭載した扁平形状の撮像装置を示し、図１(b)は広角な撮像光学系を搭載した扁平形状の撮像装置における把持形態を示す。
【００１２】
なお図中の２０００は撮像装置、２００１は撮像レンズ前玉、２００２は撮像装置光学系の画角を表す。
【００１３】
図１９(b)に示すように、扁平形状の撮像装置を把持する際には、撮影者は撮像装置２０００の底面側を手の平で包み込むように把持するという撮影形態が一般的である。そのため、撮像装置２０００の幅方向が大型化してしまうと、手の小さい人では撮像装置を把持する事が困難になってしまうという問題があった。
【００１４】
さらに、広角な撮像光学系を搭載した撮像装置２０００においては、画角内２００２に撮像装置自身が写り込まないようにするため、周囲の外装をピント面側に退避させ、撮像レンズ前玉２００１を外装から突出させ最前面部となっている。
【００１５】
そのため、撮像装置２０００が正面側から落下した場合等では、撮像レンズ前玉２００１が先当たりする形となり、撮像レンズに力がかかりピントのズレを招く等の問題も有る。
【００１６】
そこで本発明では、広角な撮像光学系を搭載した扁平形状の撮像装置において、製品の幅方向の小型化と撮像レンズに伝わる力の緩和の両立を図った撮像装置を提供することを目的としている。
【課題を解決するための手段】
【００１７】
前述の目的を達成するため、本出願に係る発明は、撮像部と２つの集音部を被写体に向ける形で有し、前記撮像部の開口部を円弧軌跡で開閉可能に装着されたレンズバリア羽根を備えたレンズバリアユニットを有する、前記撮像部を被写体に向けた状態での天地方向を最も短辺とする扁平な撮像装置において、前記２つの集音部は前記撮像部を挟む形で左右対称な位置に設けられ、かつ、前記２つの集音部の最前面部は、前記撮像部の最前面部よりも所定の量だけ被写体側に凸であり、前記２つの集音部は、前記撮像部の画角の外側の位置であるを特徴とする。
【発明の効果】
【００１８】
以上説明したように、本発明によれば、広角な撮像光学系を搭載した扁平形状の撮像装置において、製品の幅方向の小型化と撮像レンズに伝わる力の緩和の両立を図った撮像装置を提供することが可能となる。
【図面の簡単な説明】
【００１９】
【図１】本実施例の撮像装置の斜視図
【図２】撮影レンズを表す図
【図３】本実施例の撮像装置の記録画像範囲を模式的に表した図
【図４】本実施例の撮像装置の記録画像範囲を正面から見た図
【図５】バリアユニットの構成を示す分解斜視図
【図６】バリアベースユニットの構成を示す分解斜視図
【図７】回動アームユニットの動作を表す図
【図８】バリアレバー保持ユニットの構成を示す分解斜視図
【図９】連結アームの上面図
【図１０】バリアユニットを構成する各ユニット間の連結を示す図
【図１１】バリアユニットの動作を表した要部の部分断面図
【図１２】マイクの保持方法を示す分解斜視図
【図１３】組立状態での右側マイク部での断面図
【図１４】マイク周辺の各部の配置の位置関係を示す図
【図１５】従来の撮像装置におけるマイク周辺の各部の配置の位置関係を示す図
【図１６】撮影レンズの組み付けを説明する要部の分解斜視図
【図１７】バリアベースの下方図
【図１８】バリアベースの変形を示す図
【図１９】扁平形状の撮像装置における把持形態
【発明を実施するための形態】
【００２０】
以下に本発明の実施形態を添付図面に基づいて説明する。
【００２１】
［実施の形態］
＜本体部の構成要素説明＞
図１は本実施例の撮像装置１００の斜視図である。本実施例の撮像装置１００は、撮影レンズ１０１を保護するバリア１０２を開閉自在に備えており、図１(a)はバリア１０２開状態を示し、図１(b)はバリア１０２閉状態を示している。なお、本実施の形態においては、撮影者から被写体に向かう方向で上下左右とし、被写体側を正面と定義し説明を行う。
【００２２】
まず最初に、図１を用いて、撮像装置１００の構成を説明する。図１に示す本実施例の撮像装置は、撮影レンズ１０１が前玉１０１１を被写体側である正面に向ける形で、正面中央に配設されており、撮影レンズ１０１の上下方向に薄く、左右と後方に広がる扁平な形状となっている。なお、撮影レンズ１０１の詳細は後述する。また、本発明の実施形態の撮像装置１００は、携帯時にキズや指紋の付着から、撮影レンズ１０１の前玉１０１１を保護するバリア１０２を開閉自在に備えている。バリア１０２は後述する機構により、本体側面に設けたバリアレバー１０４の操作に連動して、撮影レンズ前玉１０１１を覆う閉状態から撮影レンズ前玉１０１１が露出する開状態へと動作する。
【００２３】
また、撮影レンズ１０１の左右両脇には、入力された音声信号を電気信号に変換する一対のマイク１０３が配置されている。バリアレバー１０４は、撮像装置１００の右側面側に配置され、撮影者がスライド操作することでバリア１０２を開閉すると共に、撮像装置１００の電源をＯＮ／ＯＦＦさせるものである。
【００２４】
また、この他にも、撮像装置としての機能を果たす為に必要な種々の構成要素を有しているが、構成や機能は本発明の本質にかかわりが少ないため説明を省略する。
【００２５】
次に、撮影レンズ１０１について説明を行う。図２は、撮影レンズ１０１を表す図であり、図２(a)は本実施例の撮影レンズ１０１を表す斜視図であり、図２(b)は撮影レンズ１０１の構成を表す分解斜視図である。
【００２６】
図２(b)に示すように、撮影レンズ１０１は、イメージセンサ１０５が実装されたセンサ基板１０６と、センサ基板１０６が固定されるセンサ保持側外装１０７と、撮影レンズを内蔵したレンズ保持側外装１０８と、絞りユニット１０９で構成されている。図２(b)に示すレンズ保持側外装１０８は、撮影レンズの前玉１０１１を含む１群と、後方に２群さらに後方にある３群から成る撮影レンズ部が内包されている。さらに、レンズ保持側外装１０８には、側面から絞りユニット１０９が、レンズ群の間に挿入され、レンズ保持側外装１０８にビスで締結されている。
【００２７】
撮影レンズ１０１には、イメージセンサ１０５が実装されたセンサ基板１０６がセンサ保持側外装１０７に固定されている。
【００２８】
図３は、本実施例の撮像レンズ１０１の、記録画像範囲を模式的に表した図であり、撮影レンズ１０１の画角１３１０の範囲を表したものである。図４は、この画角１１０の範囲を正面から見た図である。なお、図４は、画角１１０を撮影レンズ１０１前方で光軸に対して垂直な平面でカットした立体で表現している。
【００２９】
図４に示すように、撮像装置１００は、本体厚み方向である上下方向でありイメージセンサ１０６の短辺方向と、本体横方向でありイメージセンサ１０６の長辺方向の光線と比較して、イメージセンサの対角方向で、記録画像範囲が広い、かなりの広角な光学特性となっている。（本実施例における撮影レンズ１０１の対角画角は約１７０°である）
次に、バリア１０２について説明する。図５はバリア１０２の構成を示す分解斜視図である。バリア１０２は図５に示すように、バリアベースユニット１１１、バリアレバー保持ユニット１１２、連結アーム１１３、から構成されている。
【００３０】
本実施例のバリア１０２は、撮像装置１００の右側側面に設けたバリアレバー１０４を操作することで、後述する連結アーム１１３が駆動し、後述するようにバリアベースユニット１１１とバリアレバー保持ユニット１１２が連結アーム１１３によって連結され、開閉動作が行われる。
【００３１】
次にバリア１０２を構成している各ユニットに付いて詳細を説明する。まず最初に、バリアベースユニット１１１に付いて説明する。
【００３２】
図６はバリアベースユニット１１１の構成を示す分解斜視図である。バリアベースユニット１１１は、バリアベース１１４、根元側アーム１１５と先端側アーム１１６とコイルバネ１１７の３部品によって構成される回動アームユニット１１８、及びシャフト１１９と羽根１２０から構成されているユニットであり、回転動作する機構部材によって羽根１２０が駆動される構造となっている。
【００３３】
バリアベース１１４は、後ろ側に開口したコの時形状をした樹脂部品であり、シャフト１１９を介して回動アームユニット１１８が回動自在に連結されている。なお、バリアベース１１４は、バリア１０２開時に露出する、撮影レンズ前玉１０１１周囲の外観部１１４１が配設さらた部材で、撮影レンズが挿入される丸穴１１４２が設けられている。図６に示すように、外観部６００の裏面には、後述する撮影レンズ１０１の位置決めを行う係合穴１１４３が設けられている。
【００３４】
シャフト１１９を介してバリアベース１１４に回動可能に固定される根本側回転アーム１１５には、後述する連結アーム１１３との連結ボス１１４１が配設されている。また、先端側アーム１１６は、摺動性の高いＰＯＭ（ポリアセタール）で形成されており、根本側回転アーム１１５の孔に係合する３本のスライド軸部１１６１ａ、１１６１ｂ、１１６１ｃを有している。
【００３５】
コイルバネ１１７は、根元側回転アーム１１５と先端側アーム１１６の間で、真ん中のスライド軸部１１６１ｂの周囲に自由長よりも圧縮させた状態で配設されている。これにより、根元側回転アーム１１５と先端側アーム１１６を離間する方向に荷重を与えている。なお、根元側回転アーム１１５と先端側アーム１１６は所定の距離を持った状態で保持されている。
【００３６】
上述の構成により、回動アームユニット１１８は、先端側アーム１１６と根本側回転アーム１１５間の距離が、伸縮可能となっている。ここで、スライド軸部１１６１ａ、１１６１ｂ、１１６１ｃは、回転アームユニット１１８の回転軸であるシャフト１１９のラジアル方向に設けられている。また、先端側アーム１１６には、羽根１２０に設けられたバリア連結フック１２０１が連結され、バリア１２０が回動可能に連結されるバリア連結軸１１６２が設けられており、バリア連結軸１１６２は、バリア回転アームユニット１１８の回転軸であるシャフト１１９と並行に設けられている。
【００３７】
次に、回動アームユニット１１８の動作に付いて説明する。図７は、回動アームユニット１１８の動作を表す図である。図７(a)は、バリア閉状態における、回転アームユニット１１８の動作を表している。図７(b)は、バリア開閉の中間位置での、回転アームユニット１１８の動作を表している。図７(c)は、バリア開状態における、回転アームユニット１１８の動作を表している。
【００３８】
図７(a)〜図７(c)に示すように、本実施例のバリア１０２は、バリアの閉位置からバリアの開位置の間で、回動アームユニット１１８が伸縮しながら９０°回動する。それに伴い、バリア１０２は、バリア連結フック１２０１を中心として、回動アームユニット１１８の回転方向と相反方向に回動する。
【００３９】
なお、回動アームユニット１１８における、先端側アーム１１６と根本側回転アーム１１５間の距離は、図７(a)に示すバリア閉状態と図７(c)に示すバリア開状態に対して、バリア開閉の中間位置で最も短くなるように設定されている。
【００４０】
次に、バリアレバー保持ユニット１１２に付いて説明する。図８はバリアレバー保持ユニット１１２の構成を示す分解斜視図である。バリアレバー保持ユニット１１２は、図８に示すように、バリアレバー保持部材１２１とバリアレバー押さえカバー１２４の間にボール１２２、コイルスプリング１２３、上面に長溝１０４１を有するバリアレバー１０４、を挟む形で、バリアレバー保持部材１２１に設けられた爪１２１１とバリアレバー押さえカバー１２４に設けられたフック部１２４１が係止されることによって固定されている。
【００４１】
なお、バリアレバー保持部材１２１とバリアレバー押さえカバー１２４の間で、ボール１２２、コイルスプリング１２３、バリアレバー１０４の３部品は一体となって前後方向に摺動可能となっている。
【００４２】
次に、連結アーム１１３の詳細を説明する。図９は連結アーム１１３の上面図である。本実施例の連結アーム１１３は、図９に示すように、板金によって形成された連結アームプレート１１３１に、連結アームの回転軸を成す回転スリーブ１１３２と、連結ピン１１３３をカシメて構成されている。そして、連結アーム１１３には、連結ピン１１３３と、回転スリーブ１１３２を挟んで向かい側に、連結孔１１３４が配設されている。なお、図９  に示すように連結孔１１３４は、単純な長穴ではなく、先端から連結アーム回転中心に向かうにつれて、穴が広がる形状となっている。
【００４３】
次に、バリアベースユニット１１１、バリアレバー保持ユニット１１２、連結アーム１１３、の連結に付いて説明する。
【００４４】
図１０は、バリア１０２を構成する各ユニット間の連結を示す図である。図１０に示すように、連結アーム１１３は、バリアベース１１４の上面に設けた連結アーム回転軸１１４１に、連結アームの回転スリーブ１１３２を挿入することで、バリアベース１１４に対して回動可能に軸支されている。それと共に、連結ピン１１３３はバリアレバー１０４の長溝１０４１と係合されバリアレバー保持ユニット１１２と連結されている。そして、根本側回転アーム１１５に設けられた連結アームとの連結ボス１１５１が連結孔１１３４に貫通する形でバリアベースユニット１１１と連結される。
【００４５】
次に、本実施例のバリア１０２における、バリアレバー１０４の動作と、バリアベースユニット１１１の開閉動作の連動に関して説明を行う。まず、バリア１０２の閉状態から開状態への動作の連動に関して説明をする。
【００４６】
図１１は、ユーザによるバリアレバー１０４操作と、バリア１０２の連動動作を表した要部の部分断面図である。なお、図１１(a)は、バリア閉状態を表しており、図１１(b)は、バリア開状態を表している。
【００４７】
本実施例のバリア１０２は、図１１(a)に示すバリア閉状態では、前述した回転アームユニット１１８の付勢力によってバリア閉方向に閉じられた状態となっている。バリアレバー１０４は、連結ピン１１３３で連結アーム１１３と連結されており、バリアレバー１０４を前方（図１１（b）の矢印Ａ方向）に動作させると、連結アーム１１３が回転スリーブ１１３２を中心として、反時計まわりに回動する（図１１（b）の矢印Ｂ方向）。この時、連結アーム１１３には、根本側回転アーム１１５に設けた連結ボス１１５１が当節し、回転アームユニット１１８と係合している。これにより、連結アーム１１３から根本側回転アーム１１５に設けた連結ボス１１５１に、回転モーメントが加えられ、回転アームユニット１１８は、バリア開方向である時計回り方向に動作する（図１１（b）の矢印Ｃ方向）。
【００４８】
さらに、電源レバーを前方に動作させると、回転アームユニット１１８が中立位置を僅かに超えた所で、回転アームユニット１１８の付勢力が反転し、自発的にバリア開き方向に回動し始める。これによって、回転アームユニット１１８の連結ボス１１５１は、バリア連結アーム１１３の連結孔１１３４側面から一旦離れ、連結孔の対向側に当接するように乗り移る。この時、バリア連結アームの連結孔１１３４からは、連結アーム１１３の動作を助長する方向に荷重が印加され、図１１(b)に示す開状態まで羽根１２０は円弧軌跡で移行する。
【００４９】
次にバリア１０２の開状態から閉状態への動作の連動に関して説明をする。レバー１０４を後方に動作させると、連結アーム１１３が回転スリーブ１１３２を中心として、反時計まわりに回動し、前述の閉状態から開状態への動作の逆手順を踏み、図１１(a)に示す閉状態へと移行する。
【００５０】
なお、非常に広角な画角を有する撮影レンズを搭載する撮像装置に、バリア機構を搭載する際には、従来から一般的に普及している平板状のバリアでは、バリア羽根を画角から退避するために非常に広大な領域が必要になってしまう。しかし、本実施例に示すように円弧状の軌跡で画角から退避する事によって、最小の領域でバリア機構を構成する事が可能になり、撮像装置の小型化に大きく貢献する事が出来る。
【００５１】
次に、マイク１０３の保持方法に関して詳細を説明する。図１２はマイクの保持方法を示す分解斜視図である。図１３は組立状態での右側マイク部での断面図である。
【００５２】
本実施例の撮像装置１００では、図１２に示すように、バリア１０２に、正面側に開口を持つ箱形状のマイク保持部ａ１１４５及びマイク保持部ｂ１２１２が、レンズ１０１の光軸を挟んで正面から見て対称となるよう設けられている。なお、マイク保持部ａ１１４５はバリアベース１１４に、マイク保持部ｂ１２１２はバリアレバー保持部材１２１にそれぞれ設けられている。マイク１０３は、音声等の空気振動を振動板を介して電気信号に変換するマイクエレメント１０３１を、マイクエレメント１０３１の正面に向けて設けられている集音部及び、背面に設けられている電気的接点部を開口したゴム等の弾性部材１０３２で包配したものである。
【００５３】
マイクゴム１０３２は、前述のとおり正面側に、マイクエレメント１０３１の集音部を避けた形で開口を有しておりその開口の回りには、前側から見て一段低い凹部が形成されている。マイクスポンジ１２５は所定の開口率を有し弾性力を持つスポンジ部材であり組み込み状態では所定の量だけ圧縮された状態となる。また、マイクスポンジ１２５は、前述のゴム１０３２の凹部の中に入る形で配設されている。この時、マイクスポンジ１２５の裏側とマイクエレメント１０３１の間には所定の空間が設けられている。
【００５４】
マイクシート１２６は、直径数十μm程度の極細のポリエステル繊維を綾織りしたメッシュ状のものであり、マイクスポンジ１２５よりも開口率は小さく、かつ厚みは薄いものとなっている。さらに、正面側から見た投影形状は、マイクスポンジ１２５よりも大きいものとなっている。
【００５５】
なお、マイクシート１２６はマイクスポンジ１２５と、後述する前カバー１２７の後ろ側面の間に挟まれる形で密着して配設されている。なお、マイクスポンジ１２５の弾性によって、マイクシート１２６は前カバー１２７の後ろ側のに対して押し付けられるため、マイクシート１２６はマイクスポンジ１２５、および前カバー１２７に密着する形で配設されている。
【００５６】
前カバー１２７は、撮影レンズ１０１の前玉１０１１周辺の正面外観を構成している樹脂カバーである。また、その中央部には撮影レンズ１０１及びバリアベース１１４の外観部１１４１が露出する事が可能であり、かつレンズ１０１の画角１１０に入らない開口形状１２７１を有している。なお、開口形状１２７１は、レンズ１０１の画角範囲外からの有害な光線によって生じるフレアやゴーストの影響を避けるため、画角範囲外からの不要光を遮光するフード形状となっている。また、前カバー１２７は撮像装置１００の内部で、化粧カバー１２８の正面側内側を略全面覆う形状となっている。なお、マイクエレメント１０３１と、化粧カバー１２８に挟まれる領域には、マイクエレメント１０３１の集音部よりも大きな、前後に貫通した穴１２７２を有している。このため、マイクエレメント１０３１の集音部を正面を覆うマイクシート１２７の前面と化粧カバー１２８の裏面との間には所定の空間が設けられることとなる。
【００５７】
化粧カバー１２８は、アルミの絞り加工にて形成された撮像装置１００の正面側外観カバーであり、中央部が左右両側よりも凹しており、その凹の中央部には、前カバー１２７の開口形状１２７１周辺の外観部が露出するすることが可能な開口部１２８１を有している。
【００５８】
なお、その絞りの深さはマイク１０３を覆う程度の絞り深さとなっている。なお、化粧カバー１２８は撮像装置１００の内部において、グランド部とビスによって締結されており、電気的に接続されている。
【００５９】
本撮像装置１００は金属で出来た化粧カバー１２８によってマイク１０３を覆う構成となっているため、外部から電波ノイズが飛来したとしても、化粧カバー１２８がシールド部材として働くため、マイク１０３にノイズ信号が乗ることを軽減する事が可能となり、高音質での記録が可能となる。
【００６０】
化粧カバー１２８のマイク１０３の正面部を覆う部分はパンチングメタル１２８２になっている。また、本化粧カバー１２８の左右両側面には上下方向に長手を取る、スリット形状１２８３が複数設けられている。
【００６１】
次にマイク部周辺の各部の配置の位置関係について説明する。図１４は、撮像装置１００を上側から見たマイク周辺の各部の配置の位置関係を示す図である。本実施例の撮像装置１００においては、図１４に示すように、右側のマイク１０３ａは、バリア１０２が開閉の動作を行う際の羽根１２０の円弧状の軌跡であるバリア軌跡１２９の前側に、前述のバリアレバー保持部材１２１に設けられた箱形状のマイク保持部ｂ１２１２内にゴム１０３２を圧縮して配置されている。すなわち、バリア１０２の羽根１２０はバリア開状態でマイク１０３ａの裏側に収納されることとなる。
【００６２】
このバリア軌跡１２０の前側に配置された、右側のマイク１０３ａは撮像レンズ１０１の前玉１０１１の最前面部よりも、所定の量αだけ前側に凸した形状となっている。また、左側のマイク１０３ｂは、右側のマイク１０３ａと光軸を挟んで対称な位置に配置されており、こちらも前玉１０１１よりも前側に凸した位置に配置されている。すなわち本実施例の撮像装置１００では、マイク１０３が最前面部となっている。
【００６３】
さらに、撮像レンズ１０１の画角１１０よりも後ろ側の領域に配置されているため、マイク１０３は撮像装置１００の最前面部を構成しつつも、撮影している画角に写り込む等の影響が無いものである。
【００６４】
ここで、図１５に、前玉２０１１がマイク２０３よりも前側に凸している扁平形状の撮像装置２００におけるマイク周辺の各部の配置の位置関係を示す。尚、前図と同様の構成要素に関しては同様の符号を付し、図示を省略する。
【００６５】
従来の様に前玉１０１１がマイク１０３よりも前側に凸している扁平形状の撮像装置２００に大型のマイク１０３を搭載する場合、バリアの軌跡１２９は後ろ側に行くに従って外に広がる軌跡であるため、マイク１０３の幅方向の最外形部は撮像装置１００よりも外側となる。そのため、撮像装置２００の幅方向の外形は撮像装置１００よりも大きいものとなってしまう。
【００６６】
以上、図１４にて説明したような、円弧軌跡で開閉動作を行うバリア１０２のバリア軌跡１２９の前側の領域で、マイク１０３を前玉１０１１よりも凸した最前面部で、なおかつ画角１１０よりも後ろ側の領域に配置することによって、撮像装置１００の幅方向を最小化しつつ、マイク１０３を配置するスペースの最大化を図る事が可能となる。これによって手の小さい撮影者でも容易に把持する事が出来る高音質を記録出来る撮像装置を提供することが可能となる。
【００６７】
次に、本実施例の撮像装置１００における撮影レンズ１０１の固定方法について説明する。図１６は、撮影レンズ１００の組み付けを説明する要部の分解斜視図である。
【００６８】
本実施例の撮影レンズ１０１のレンズ保持側外装１０８には、前方の側面に左方向に張り出したフランジ１０８１が配設されている。フランジ１０８１には、２個の孔１０８２および、バリアユニット１０２との組み付け時にバリアベース１１４の係合穴１１４３と係合する位置決めボス１０８３が設けられている。
【００６９】
そして、本実施例の撮影レンズ１０１の組込みは、バリアベース１１４に対して撮影レンズ１０１を光軸後方より挿入し、係合穴１１４３に位置決めボス１０８３を挿入する。その後、撮影レンズ１０１の後方に配置した、レンズホルダー１３０に設けられたタップに対して、バリアベース１１４の前側から、ビス穴１１４６及び孔１０８２を貫通するビス１３１で、撮影レンズ１０１のフランジ１０８１を挟み込む形で締結されている。
【００７０】
本実施例の撮影レンズ１０１はフランジ１０８１でのビス１３１によるビス止めのみで固定される片持ちでの保持構造となっている。なお、ビス止めを行うフランジ１０８１はバリア開状態で羽根１２０が退避する側と、反対側のマイク保持部ａ１１４５と同一側である左側のみに配設されている。これにより、バリア１０２を撮影レンズ１０１に寄せて配置する事が可能となるため、撮像装置１００の幅方向を小型化する事が可能となる。
【００７１】
次にバリアベース１１４の形状に関して詳細を説明する。図１７は、バリア１０２を下側から見た図である。
【００７２】
本実施例のバリア１０２では、撮影レンズ１０１とマイク保持部ａ１１４５及びマイク保持部ｂ１２１２のそれぞれの間のバリアベース１１４に、切り欠き１１４７が設けられている。なお、本実施例の撮像装置１００では、前述のように、扁平の開いた形状をした製品外観であり、なおかつマイク１０３がその最前面部となっている。そのため、例えば、正面側から落下した場合など、撮像装置１００の正面側から強い衝撃が加えられた時は、マイク１０３が撮像レンズ１０１よりも先当たりをするため、撮影レンズ１０１には直接力が加わらない構成となっている。
【００７３】
またここで、図１８は衝撃を受けた際のバリア１０２の変形を示す図であるが、前述のようにバリアベース１１４には切り欠き１１４７が設けてあるため、図１８に示すように、マイク１０３に強い力が加えられた時には、切り欠き１１４７付近に応力応力集中が発生し、この部位を支点として、左右のマイク保持部及び、回転アームユニット１１８を内包するバリアベース１１４の一部が大きく変形して撓み、ダンパーとして機能することとなる。なお、この時の変形量はバリアベース１１４の弾性域での変形であるため、バリアベース１１４は衝撃によって破壊する事は無く、変形後は元の形状に戻る事が可能である。
【００７４】
この、切り欠き１１４７を設けることによって、バリアベース１１４は衝撃印加時に撮影レンズ１０１固定部の外側で変形する。そのため、マイク保持部ａ１１４５と同一部材に保持されているにも関わらず、マイク１０３に加えられた衝撃が撮影レンズ１０１側に伝わることを減衰させることが可能となる。
【００７５】
このような、マイク１０３を最前面部とし、マイクと撮影レンズを同時に保持しているバリアベース１１４に前述の切り欠き１１４７を設けることによって、撮影レンズ１０１に対して落下時の衝撃が直接加えられることが無くなる。また、切り欠き１１４７によるダンパー効果のため加えられた衝撃が撮影レンズ１０１側に伝わることを減衰する事が可能となる。すなわち、部品を増やすこと無く撮影レンズ１０１の耐衝撃性の向上を図ることが可能となる。また、部品を追加する必要がないため、製品の小型化にも大きく寄与する事が可能となる。
【００７６】
以上説明した本実施例に示す構成を取ることにより、広角な撮像光学系を搭載した扁平形状の撮像装置において、製品の幅方向の小型化と撮像レンズに伝わる力の緩和の両立を図った撮像装置を提供することする事が可能となる。
【００７７】
尚、機械的構成要素は前述の構成に限定されるものではない。本発明と同様の効果が得られるものであれば、どのような構成であっても適応されることは言うまでも無い。
【符号の説明】
【００７８】
１００  ‥‥撮像装置
１０１  ‥‥撮影レンズ
１０１１‥‥前玉
１０２  ‥‥バリア
１０３  ‥‥マイク
１０３１‥‥マイクエレメント
１０３２‥‥ゴム
１０４  ‥‥バリアレバー
１０４１‥‥長溝
１０５  ‥‥イメージセンサ
１０６  ‥‥センサ基板
１０７  ‥‥センサ保持側外装
１０８  ‥‥レンズ保持側外装
１０８１‥‥フランジ
１０８２‥‥孔
１０８３‥‥位置決めボス
１０９  ‥‥絞りユニット
１１０  ‥‥画角
１１１  ‥‥バリアベースユニット
１１２  ‥‥バリアレバー保持ユニット
１１３  ‥‥連結アーム
１１３１‥‥連結アームプレート
１１３２‥‥回転スリーブ
１１３３‥‥連結ピン
１１３４‥‥連結孔
１１４  ‥‥バリアベース
１１４１‥‥外観部
１１４２‥‥丸穴
１１４３‥‥係合穴
１１４４‥‥軸
１１４５‥‥マイク保持部ａ
１１４６‥‥ビス穴
１１４７‥‥切り欠き
１１５  ‥‥根本側回転アーム
１１５１‥‥連結アームとの連結ボス
１１６  ‥‥先端側アーム
１１６１‥‥スライド動作する軸部
１１６２‥‥バリア連結軸
１１７  ‥‥コイルバネ
１１８  ‥‥回動アームユニット
１１９  ‥‥シャフト
１２０  ‥‥羽根
１２０１‥‥バリア連結フック
１２１  ‥‥バリアレバー保持部材
１２１１‥‥爪
１２１２‥‥マイク保持部ｂ
１２２  ‥‥ボール
１２３  ‥‥コイルスプリング
１２４  ‥‥バリアレバー押さえカバー
１２４１‥‥フック部
１２５  ‥‥マイクスポンジ
１２６  ‥‥マイクシート
１２７  ‥‥前カバー
１２７１‥‥開口形状
１２７２‥‥穴
１２８  ‥‥化粧カバー
１２８１‥‥開口部
１２８２‥‥パンチングメタル
１２８３‥‥スリット形状
１２９  ‥‥バリア軌跡
１３０  ‥‥レンズホルダー
１３１  ‥‥ビス
【図１】
2015102823.tif 000003
【図２】
2015102823.tif 000004
【図３】
2015102823.tif 000005
【図４】
2015102823.tif 000006
【図５】
2015102823.tif 000007
【図６】
2015102823.tif 000008
【図７】
2015102823.tif 000009
【図８】
2015102823.tif 000010
【図９】
2015102823.tif 000011
【図１０】
2015102823.tif 000012
【図１１】
2015102823.tif 000013
【図１２】
2015102823.tif 000014
【図１３】
2015102823.tif 000015
【図１４】
2015102823.tif 000016
【図１５】
2015102823.tif 000017
【図１６】
2015102823.tif 000018
【図１７】
2015102823.tif 000019
【図１８】
2015102823.tif 000020
【図１９】
2015102823.tif 000021